(57)【特許請求の範囲】
【請求項１】
建築物の一方の床と他方の床との間に架設されるトラスフレームと、前記トラスフレームの一方の終端部に設けられ、前記建築物に設けられた建築受梁に載置される乗客コンベア支持部と、建築物床と乗客コンベアの乗降床との間にスライド可能に設けられたスライド床を有する乗客コンベアにおいて、
前記スライド床は、一端が前記建築物床に固定され、上面が前記建築物床及び乗客コンベアの乗降床の高さに位置するスライド床プレートを備え、
前記建築物床と前記乗客コンベアの乗降床との間隙が縮小するよう相対変位する場合、前記スライド床プレートの他端が前記乗客コンベアの乗降床の上面に乗り上げ、
前記スライド床プレートの下面と共に滑動面を形成する上面を備え、前記スライド床プレートを支持するスライド床プレート支持体を有し、
前記スライド床プレート支持体は、前記乗客コンベアの乗降床の幅方向に所定の間隔にて離間し複数配され、
前記乗客コンベア支持部の上面であって、前記乗客コンベアの乗降床の幅方向に相互に所定の間隔にて離間し配される２つの支持アングル延長部品を備え、
前記支持アングル延長部品の下面が、前記乗客コンベア支持部の上面に固定され、
前記スライド床プレートの下面と共に滑動面を形成する上面を備え、前記スライド床プレートを支持すると共に、下面が前記支持アングル延長部品の上面に固定される第１スライド床プレート支持体と、
前記スライド床プレートの下面と共に滑動面を形成する上面を備え、前記スライド床プレートを支持すると共に、一端が前記建築物床に固定される第２スライド床プレート支持体と、を有し、
前記第２スライド床プレート支持体の側面が、前記支持アングル延長部品の側面に当接することを特徴とする乗客コンベア。
【請求項２】
建築物の一方の床と他方の床との間に架設されるトラスフレームと、前記トラスフレームの一方の終端部に設けられ、前記建築物に設けられた建築受梁に載置される乗客コンベア支持部と、建築物床と乗客コンベアの乗降床との間にスライド可能に設けられたスライド床を有する乗客コンベアにおいて、
前記スライド床は、一端が前記建築物床に固定され、上面が前記建築物床及び乗客コンベアの乗降床の高さに位置するスライド床プレートを備え、
前記建築物床と前記乗客コンベアの乗降床との間隙が縮小するよう相対変位する場合、前記スライド床プレートの他端が前記乗客コンベアの乗降床の上面に乗り上げ、
前記スライド床プレートの下面と共に滑動面を形成する上面を備え、前記スライド床プレートを支持するスライド床プレート支持体を有し、
前記スライド床プレート支持体は、前記乗客コンベアの乗降床の幅方向に所定の間隔にて離間し複数配され、
前記乗客コンベア支持部の上面であって、前記乗客コンベアの乗降床の幅方向に相互に所定の間隔にて離間し配される２つの支持アングル延長部品を備え、
前記支持アングル延長部品の下面が、前記乗客コンベア支持部の上面に固定され、
前記スライド床プレートの下面と共に滑動面を形成する上面を備え、前記スライド床プレートを支持すると共に、一端が前記乗客コンベアの乗降床に固定される複数の第１スライド床プレート支持体と、
前記スライド床プレートの下面と共に滑動面を形成する上面を備え、前記スライド床プレートを支持すると共に、一端が前記建築物床に固定される複数の第２スライド床プレート支持体と、を有し、
前記第２スライド床プレート支持体の側面が、前記支持アングル延長部品の側面に当接すると共に、前記第１スライド床プレート支持体の側面が前記乗客コンベア支持部の幅方向両端部の側面に当接することを特徴とする乗客コンベア。
【請求項３】
請求項１に記載の乗客コンベアにおいて、
前記乗客コンベアの乗降床の幅方向であって前記第２スライド床プレート支持体よりも外側に配され、前記スライド床プレートの下面と共に滑動面を形成する上面を備え、前記スライド床プレートを支持すると共に、前記乗客コンベアの乗降床及び／又は建築躯体に固定される第３スライド床プレート支持体を備え、
前記第１スライド床プレート支持体及び前記第３スライド床プレート支持体は、Ｃ型の断面形状を有し、前記支持アングル延長部品の上面に固定される前記第１スライド床プレート支持体の下面の面積よりも、前記第１スライド床プレート支持体の上面の面積が大きいことを特徴とする乗客コンベア。
【請求項４】
請求項１乃至請求項３のうち、いずれか１項に記載の乗客コンベアにおいて、
前記スライド床プレートの他端は、下面から上面へと向かうに従い前記乗客コンベアの乗降床側へと近づくよう傾斜する傾斜面を有することを特徴とする乗客コンベア。
【請求項５】
請求項４に記載の乗客コンベアにおいて、
前記乗客コンベアの乗降床は、前記建築物床に対向する側に、前記スライド床プレートの他端の傾斜面と当接するよう傾斜する第２の傾斜面を有することを特徴とする乗客コンベア。
【請求項６】
請求項５に記載の乗客コンベアにおいて、
前記スライド床プレートの他端と、前記乗客コンベアの乗降床の前記建築物床に対向する側に形成された第２の傾斜面との間に、緩衝体を有することを特徴とする乗客コンベア。
【請求項７】
請求項６に記載の乗客コンベアにおいて、
前記緩衝体は、前記スライド床プレートの他端の傾斜面と当接するよう傾斜する傾斜面と、前記乗客コンベアの乗降床の前記建築物床に対向する側に形成された第２の傾斜面と当接するよう傾斜する傾斜面とを備え、
前記緩衝体は、ゴム製の弾性体又はウレタンを含む樹脂製であることを特徴とする乗客コンベア。
【請求項８】
請求項７に記載の乗客コンベアにおいて、
前記スライド床プレート支持体は、前記乗客コンベア支持部、前記トラスフレーム、又は前記乗客コンベアの乗降床に固定されることを特徴とする乗客コンベア。
【請求項９】
請求項８に記載の乗客コンベアにおいて、
前記スライド床は、前記スライド床プレート及び前記スライド床プレート支持体から構成され、
前記スライド床の鉛直方向の高さ寸法が、前記乗客コンベアの乗降床の鉛直方向の高さ寸法以下であることを特徴とする乗客コンベア。
【発明の詳細な説明】
【技術分野】
【０００１】
本発明は、エスカレーター又は動く歩道を含む乗客コンベアに係り、特に地震動等に伴う建築物の層間変位或は２つ以上の建物間に生ずる揺れに対応可能な乗客コンベアに関する。
【背景技術】
【０００２】
乗客コンベアは、建築物の一方の床と他方の床との間に架設されるトラスを備えており、トラスの両方の終端部には、一方の床の建築受梁にトラス支持アングルが設けられる。地震等が発生し、建築物に揺れが生じた場合、上下の建築受梁間の寸法が変化する。これを層間変位という。トラスの両端におけるトラス支持アングルは、この層間変位に対応するため、建築受梁とトラス支持アングルの間に間隙を設け、長手方向にスライド可能な状態で設置される。このとき、乗客コンベアと建築物床との間には相対的な変位が生じるため、乗客コンベアの乗降床と建築物床とをスライド可能な状態で設置する場合がある。  
例えば、特許文献１には、本体枠の少なくとも一方の端部が建造物に対して相対変位可能に支持され、建造物側の床に対してスライド可能に設けられたスライド床を有する乗客コンベアが開示されている。そして、上記スライド床は、利用者の歩行面となる表面プレートと、表面プレートの裏面を支持する補強構造とを備え、補強構造は、本体枠の長手方向において、その両側に第１の隙間と第２の隙間とを有し、本体枠が長手方向に変位する場合に、本体枠側からの押圧力を受けて移動可能に設置される乗客コンベアが記載されている。
【先行技術文献】
【特許文献】
【０００３】
【特許文献１】特開２０１５−１１０４５４号公報
【発明の概要】
【発明が解決しようとする課題】
【０００４】
しかしながら特許文献１では、相互の相対変位の有無にかかわらずスライド床と、建造物床及び乗客コンベアの乗降床との間に段差を有する構造であるため、スライド床に隣接して建造物床の上面に凸部を有する点字ブロック等を配置することは困難となる。  
そこで、本発明は、地震等により相互に相対変位が生じた場合において乗客コンベアの破損を防止しつつ、相対変位が生じない状態では、スライド床プレートと乗客コンベアの乗降床、或は、スライド床プレートと建築物床との間に段差を有さず平坦化可能な乗客コンベアを提供する。
【課題を解決するための手段】
【０００５】
上記課題を解決するため、本発明の乗客コンベアは、建築物の一方の床と他方の床との間に架設されるトラスフレームと、前記トラスフレームの一方の終端部に設けられ、前記建築物に設けられた建築受梁に載置される乗客コンベア支持部と、建築物床と乗客コンベアの乗降床との間にスライド可能に設けられたスライド床を有する乗客コンベアにおいて、前記スライド床は、一端が前記建築物床に固定され、上面が前記建築物床及び乗客コンベアの乗降床の高さに位置するスライド床プレートを備え、前記建築物床と前記乗客コンベアの乗降床との間隙が縮小するよう相対変位する場合、前記スライド床プレートの他端が前記乗客コンベアの乗降床の上面に乗り上げ、前記スライド床プレートの下面と共に滑動面を形成する上面を備え、前記スライド床プレートを支持するスライド床プレート支持体を有し、前記スライド床プレート支持体は、前記乗客コンベアの乗降床の幅方向に所定の間隔にて離間し複数配され、前記乗客コンベア支持部の上面であって、前記乗客コンベアの乗降床の幅方向に相互に所定の間隔にて離間し配される２つの支持アングル延長部品を備え、前記支持アングル延長部品の下面が、前記乗客コンベア支持部の上面に固定され、前記スライド床プレートの下面と共に滑動面を形成する上面を備え、前記スライド床プレートを支持すると共に、下面が前記支持アングル延長部品の上面に固定される第１スライド床プレート支持体と、前記スライド床プレートの下面と共に滑動面を形成する上面を備え、前記スライド床プレートを支持すると共に、一端が前記建築物床に固定される第２スライド床プレート支持体と、を有し、前記第２スライド床プレート支持体の側面が、前記支持アングル延長部品の側面に当接することを特徴とする。  
また本発明の他の乗客コンベアは、建築物の一方の床と他方の床との間に架設されるトラスフレームと、前記トラスフレームの一方の終端部に設けられ、前記建築物に設けられた建築受梁に載置される乗客コンベア支持部と、建築物床と乗客コンベアの乗降床との間にスライド可能に設けられたスライド床を有する乗客コンベアにおいて、前記スライド床は、一端が前記建築物床に固定され、上面が前記建築物床及び乗客コンベアの乗降床の高さに位置するスライド床プレートを備え、前記建築物床と前記乗客コンベアの乗降床との間隙が縮小するよう相対変位する場合、前記スライド床プレートの他端が前記乗客コンベアの乗降床の上面に乗り上げ、前記スライド床プレートの下面と共に滑動面を形成する上面を備え、前記スライド床プレートを支持するスライド床プレート支持体を有し、前記スライド床プレート支持体は、前記乗客コンベアの乗降床の幅方向に所定の間隔にて離間し複数配され、前記乗客コンベア支持部の上面であって、前記乗客コンベアの乗降床の幅方向に相互に所定の間隔にて離間し配される２つの支持アングル延長部品を備え、前記支持アングル延長部品の下面が、前記乗客コンベア支持部の上面に固定され、前記スライド床プレートの下面と共に滑動面を形成する上面を備え、前記スライド床プレートを支持すると共に、一端が前記乗客コンベアの乗降床に固定される複数の第１スライド床プレート支持体と、前記スライド床プレートの下面と共に滑動面を形成する上面を備え、前記スライド床プレートを支持すると共に、一端が前記建築物床に固定される複数の第２スライド床プレート支持体と、を有し、前記第２スライド床プレート支持体の側面が、前記支持アングル延長部品の側面に当接すると共に、前記第１スライド床プレート支持体の側面が前記乗客コンベア支持部の幅方向両端部の側面に当接することを特徴とする。
【発明の効果】
【０００６】
本発明によれば、地震等により相互に相対変位が生じた場合において乗客コンベアの破損を防止しつつ、相対変位が生じない状態では、スライド床プレートと乗客コンベアの乗降床、或は、スライド床プレートと建築物床との間に段差を有さず平坦化可能な乗客コンベアを提供することが可能となる。  
上記した以外の課題、構成及び効果は、以下の実施形態の説明により明らかにされる。
【図面の簡単な説明】
【０００７】
【図１】本発明の一実施例に係る実施例１の乗客コンベアのトラス支持アングル部の側面図である。
【図２】実施例１の乗客コンベアであって、建築物床と乗客コンベアの乗降床との間隙が拡大するよう層間変位が生じた場合におけるトラス支持アングル部の側面図である。
【図３】実施例１の乗客コンベアであって、建築物床と乗客コンベアの乗降床との間隙が縮小するよう層間変位が生じた場合におけるトラス支持アングル部の側面図である。
【図４】乗客コンベアの概略全体構成を示す側面図である。
【図５】本発明の他の実施例に係る実施例２の乗客コンベアのトラス支持アングル部の側面図である。
【図６】実施例２の乗客コンベアであって、建築物床と乗客コンベアの乗降床との間隙が縮小するよう層間変位が生じた場合におけるトラス支持アングル部の側面図である。
【図７】本発明の他の実施例に係る実施例３の乗客コンベアのトラス支持アングル部の側面図及びＡ−Ａ断面矢視図である。
【図８】実施例２の乗客コンベアであって、建築物床と乗客コンベアの乗降床との間隙が縮小するよう層間変位が生じた場合におけるトラス支持アングル部の側面図である。
【図９】本発明の他の実施例に係る実施例４の乗客コンベアのトラス支持アングル部の側面図である。
【図１０】実施例４の乗客コンベアであって、トラス支持アングル部の上面図である。
【図１１】図１０に示すトラス支持アングル部のＡ−Ａ断面矢視図である。
【図１２】図１１に示すトラス支持アングル部の変形例の上面図である。
【図１３】本発明の他の実施例に係る実施例５の乗客コンベアのトラス支持アングル部の上面図である。
【図１４】図１３に示すトラス支持アングル部のＡ−Ａ断面矢視図である。
【発明を実施するための形態】
【０００８】
本発明の乗客コンベアは、建築物（建屋）を含む建築躯体の異なる階床間に架設されるエスカレーター又は、水平或は緩やかな傾斜にて一方の床と他方の床との間に架設される動く歩道等を含む。本明細書では、エスカレーターを乗客コンベアの一例として説明する。図４は、乗客コンベアの概略全体構成を示す側面図である。乗客コンベア１は、建築躯体４のうち下階床側の建築物床１０に連なる一方の乗降床５、建築躯体４のうち上階床側の建築物床１０に連なる他方の乗降床５、及びこれら一方の乗降床５及び他方の乗降床５との間を無端状に連結されて循環移動する複数の踏段９を備える。また、乗客コンベア１は、一方の乗降床５及び他方の乗降床５との間に架設されるトラスフレーム２、及びトラスフレーム２の長手方向の両端部に設けられる乗客コンベア支持部を有する。
【０００９】
なお、乗客コンベア支持部は、断面略逆Ｌ字状のトラス支持アングル３、トラスフレーム２に固定された棒状の部材、トラスフレーム２に固定された平板状の部材、又はトラスフレーム２の上弦材をそのまま延長した構造を含む。以下では、乗客コンベア支持部の一例として、トラス支持アングル３を用いた場合を例に説明する。トラス支持アングル３のうち水平方向に延在する水平面の下面は、建築躯体４に設けられた切り欠き部の底面である建築受梁４ａの上面と当接し乗客コンベア１を支持する。
【００１０】
本明細書において、幅方向とは、踏段９の移動方向に対し垂直な踏段９の幅方向と平行な方向であり、長手方向とは、踏段９の幅方向に対し垂直な踏段９の奥行方向と平行な方向である。  
本発明の一実施形態に係る乗客コンベア１は、例えば、層間変位（相対変位とも称される）発生時において乗客コンベア１の破損を防止しつつ、層間変位が生じない平常時においてスライド床プレートと乗客コンベア１の乗降床５、或は、スライド床プレートと建築物床１０との間に段差を有さず平坦化可能な構造を、少なくとも上階床側及び下階床側のうちいずれか一方に備える。以下では、下階床側に上記構造を有する場合を一例として、図面を用いて本発明の実施例について説明する。
【実施例１】
【００１１】
図１は、本発明の一実施例に係る実施例１の乗客コンベアのトラス支持アングル部の側面図である。図１に示すように、乗客コンベア１は、縦断面が略逆Ｌ字状のＬ字鋼にて構成されるトラス支持アングル３、すなわち、水平方向に建築物床１０側へと向かい延在する水平面と鉛直方向下方へと立設する立設部からなるトラス支持アングル３を備え、トラス支持アングル３の水平面の下面が高さ調整部７を介して建築躯体４に設けられた建築受梁４ａに設置されている。トラス支持アングル３の立設部が、トラスフレーム２の終端部に取り付けられており、トラスフレーム２の鉛直方向上方に乗客コンベア１の乗降床５が取り付けられている。乗降床５の建築躯体４側の端部には、仕切りのため乗降床仕切り目地６が設けられている。また、乗降床５は、乗客コンベア１の設置形態に応じてトラスフレーム２の終端部から建築躯体４側へ水平に長手方向に延在する構造を有する場合もある。本実施例では、トラスフレーム２の終端部よりも内側に、乗客コンベア１の乗降床５が配置される場合を、一例として以下に説明する。
【００１２】
図１に示すように、乗客コンベア１は、建築躯体４の建築物床１０に一端が固定されるスライド床プレート１１、及び中空状の鋼製の四角柱にて形成されるスライド床プレート固定部１４を備える。スライド床プレート１１及びスライド床プレート固定部１４は、例えば、ステンレス鋼製である。スライド床プレート固定部１４の鉛直方向の上面は、スライド床プレート１１の下面に、例えば溶接等により固定されている。また、スライド床プレート固定部１４の下面は、建築躯体４の建築受梁４ａと、例えば、Ｌ字鋼及びボルトにより締結され固定されている。なお、図示しないが、建築受梁４ａの上面に鋼板が埋め込まれている場合には、当該鋼板の上面とスライド床プレート固定部１４の下面とが溶接等により固定される。そして、図１に示すように、スライド床プレート１１の上面は、建築躯体４の建築物床１０の高さに位置する。なお、本実施例では、スライド床プレート１１を、スライド床プレート固定部１４を介して、建築躯体４に形成された切り欠き部のうち、水平方向に延在する建築受梁４ａに垂直な面にて固定する構成としたが、必ずしもこれに限られるものではない。例えば、スライド床プレート１１を直接、建築躯体４（建築受梁４ａに垂直な面）に固定しても良い。これにより、例えば、層間変位（相対変位）が生じた場合、スライド床プレート１１は建築躯体４と一体となって動く。なお、図１に示す例では、層間変位（相対変位）が生じない平常時における状態を示しており、乗客コンベア１が設置される一対の建築躯体４（建築受梁４ａのトラスフレーム２に対向する側の端部）とトラスフレーム２の終端部との間隙（鉛直方向に対し垂直な水平方向の間隙）はＬ１である。
【００１３】
また、図１に示すように、乗客コンベア１は、トラス支持アングル３の水平面の上面に下面が固定されるスライド床プレート支持部１５を備える。スライド床プレート支持部１５は、中空状の鋼製の四角柱にて形成され、例えば、ステンレス鋼製である。なお、スライド床プレート支持部１５の下面を、例えば溶接等によりトラス支持アングル３の水平面の上面に固定する構成に代えて、スライド床プレート支持部１５を、トラスフレーム２又は乗降床５、或は乗降床仕切り目地６等のトラスフレーム２又はトラスフレーム２に付属する部品に固定する構成としても良い。  
スライド床プレート支持部１５の上面が、スライド床プレート１１の下面と共に滑動面を形成する。従って、本実施例におけるスライド床は、スライド床プレート１１及びスライド床プレート支持部１５から構成され、スライド床プレート１１の上面は、建築躯体４の建築物床１０の高さ及び乗客コンベア１の乗降床５の高さに位置する。また、スライド床プレート支持部１５の上面は、仮に建築物床１０と乗客コンベア１の乗降床５との間隙が拡大するよう層間変位（相対変位）が生じた場合に、乗降床５とスライド床プレート１１とを繋ぐ、乗客コンベア１を利用する乗客のための床（歩行面）となる。なお、例えば、トラス支持アングル３の水平面の上面がスライド床プレート１１の下面に当接するよう、トラス支持アングル３が鉛直方向上方へ配される場合は、トラス支持アングル３の水平面の上面がスライド床プレート１１の下面と共に滑動面を形成することから、必ずしもスライド床プレート支持部１５を設けなくとも良い。この場合、スライド床は、スライド床プレート１１及びトラス支持アングル３により構成されることとなる。換言すれば、スライド床プレート１１の滑動面が、乗降床５の上面よりも、スライド床プレート１１の厚さ分だけ鉛直方向下方に位置すれば良い。
【００１４】
また、乗客コンベア１は、スライド床プレート支持部１５の上面であって、一端が乗降床仕切り目地６に接するよう配されるスライド床プレートエス固定部１３を備える。スライド床プレートエス固定部１３は、例えばステンレス鋼製であり、乗降床仕切り目地６及び／又はスライド床プレート支持部１５の上面に、例えば溶接などにより固定される。スライド床プレートエス固定部１３は、乗降床５と同じ高さに取り付けられ、乗客コンベア１の床面を構成する。例えば、層間変位（相対変位）が生じた場合、スライド床プレートエス固定部１３は乗客コンベア１と一体となって動く。
【００１５】
図１に示すように、スライド床プレート１１の乗降床５側の端部及びスライド床プレートエス固定部１３の建築物床１０側の端部、すなわちスライド床プレート１１及びスライド床プレートエス固定部１３の相互に対向する端部に傾斜面を有する。それぞれの傾斜面の傾斜方向は相互に逆向きであり、傾斜角は略同一となっている。換言すれば、スライド床プレート１１の乗降床５側の端部は、スライド床プレート１１の下面から上面へと向かうに従い乗客コンベア１の乗降床５側へと近づくよう傾斜する傾斜面を有する。一方、スライド床プレートエス固定部１３の建築物床１０側の端部は、スライド床プレートエス固定部１３の下面から上面へと向かうに従い乗客コンベア１の乗降床５側へと近づくよう傾斜する傾斜面を有する。また、相互に対向するスライド床プレート１１の端部の傾斜面とスライド床プレートエス固定部１３の端部の傾斜面との間に、所定の間隔にて隙間が形成されている。この隙間に、それぞれの傾斜面と当接する長手方向の両端部に傾斜面を備える緩衝体１２が配されている。緩衝体１２は、例えば、ゴム等の弾性体或はウレタン等の樹脂にて形成される。そして、建築躯体４の建築物床１０の上面、スライド床プレート１１の上面、緩衝体１２の上面、スライド床プレートエス固定部１３の上面、乗降床仕切り目地６、及び乗客コンベア１の乗降床５の上面が連なり、平坦面を形成している。
【００１６】
これにより、ステンレス鋼製等の金属製のスライド床プレート１１を、建築躯体４の建築物床１０から乗降床仕切り目地６に至るよう延伸させる構成（一体構造）とした場合に比べ、本実施例では、ステンレス鋼製等の金属製のスライド床プレート１１とスライド床プレートエス固定部１３、及び非金属製の緩衝体１２に分割することにより、全体として軽量化が図られる。また、スライド床プレート１１を小型化できることから製作性を向上することが可能となる。更には、スライド床プレート１１の下面をスライド床プレート固定部１４の上面に溶接等により固定すると共に、スライド床プレートエス固定部１３を乗降床仕切り目地６及び／又はスライド床プレート支持部１５の上面に溶接等により固定し、上述の隙間に緩衝体１２を嵌め込むことで据え付け作業を完了できることから、作業性が向上される。また、スライド床プレート１１、緩衝体１２及びスライド床プレートエス固定部１３の３つの部品に分割されることから、保守時における交換作業性の向上が図られる。
【００１７】
上述のとおり、緩衝体１２は、スライド床プレート１１とスライド床プレートエス固定部１３との間に生じる隙間を埋めるものであり、スライド床プレート支持部１５の上面に固定されることなく載置されている。緩衝体１２は、ゴム等の弾性体或はウレタン等の樹脂にて形成されることから、普段使用している場合に生じる微小な層間変位（相対変位）に対して、弾性体の伸縮量の範囲で隙間の調整が行われることから、建築物床１０と乗降床５との間の乗客による歩行面を面一に構成することができる。換言すれば、スライド床プレート１１とスライド床プレートエス固定部１３の上面に対し緩衝体１２の上面が連続することで、スライド床プレート１１とスライド床プレートエス固定部１３との間の段差がゼロとなる（段差を有さない）。これにより、乗客コンベア利用者の安全性を向上できる。
【００１８】
次に、本実施例の動作について説明する。図２は、本実施例の乗客コンベア１であって、建築物床１０と乗客コンベア１の乗降床５との間隙が拡大するよう層間変位（相対変位）が生じた場合におけるトラス支持アングル部の側面図である。図２では、乗客コンベア１が設置される一対の建築躯体４（建築受梁４ａのトラスフレーム２に対向する側の端部）とトラスフレーム２の終端部との間隙Ｌ１が、乗客コンベア１の据え付け時点と比較し変位量Ｌ２分拡大した状態を示している。
【００１９】
図２に示すように、スライド床プレート１１は、建築躯体４と一体となって動くため、スライド床プレート１１と乗客コンベア１の乗降床５との間隙が拡大する。スライド床プレート１１は、スライド床プレート支持部１５の上面とスライド床プレート１１の下面と共に形成される滑動面に沿って摺動する。スライド床プレート１１と乗客コンベア１の乗降床５との間隙は、スライド床プレート支持部１５が設けられているため、乗客コンベア１の乗客はスライド床プレート支持部１５よりも下に落ちることはない。このように、間隙が拡大するように層間変位（相対変位）が生じた場合は、スライド床プレート１１と緩衝体１２の間に多少の段差が生じるものの、緩衝体１２の伸縮量の範囲内の層間変位（装置合変位）又は通常状態では、スライド床プレート１１と緩衝体１２との間に段差が生じることは無い。
【００２０】
図３は、本実施例の乗客コンベア１であって、建築物床１０と乗客コンベア１の乗降床５との間隙が縮小するよう層間変位（相対変位）が生じた場合におけるトラス支持アングル部の側面図である。図３では、乗客コンベア１が設置される一対の建築躯体４（建築受梁４ａのトラスフレーム２に対向する側の端部）とトラスフレーム２の終端部との間隙Ｌ１が、乗客コンベア１の据え付け時点と比較し変位量Ｌ３分縮小した状態を示している。
【００２１】
図３に示すように、スライド床プレート１１は、建築躯体４と一体となって動くため、スライド床プレート１１と乗客コンベア１の乗降床５との間隙が縮小する。スライド床プレート１１は、スライド床プレート支持部１５の上面とスライド床プレート１１の下面と共に形成される滑動面に沿って摺動する。スライド床プレート１１は、乗客コンベア１と一体となって動く部品、ここでは、スライド床プレートエス固定部１３と接触する。スライド床プレートエス固定部１３に接触した後、スライド床プレート１１は滑動面よりも鉛直上方に移動する。より詳細には、スライド床プレート１１の端部の傾斜面は、層間変位量（Ｌ３）に対応する押圧力で、緩衝体１２がスライド床プレートエス固定部１３から離脱するよう、スライド床プレート支持部１５の上面とスライド床プレート１１の下面と共に形成される滑動面を摺動する（スライドする）。その後、スライド床プレート１１の端部の傾斜面は、スライド床プレートエス固定部１３の端部の傾斜面に当接しつつ摺動し、鉛直方向に上昇しスライド床プレートエス固定部１３に乗り上げ、乗降床５側へ進む。
【００２２】
スライド床プレート１１は、スライド床プレートエス固定部１３に接触した際にスライド床プレート１１がその接触力によって、乗客コンベア１の乗客が利用する際に障害となる程度に折れ曲がるような強度であってはならない。但し、例えば、スライド床プレート固定部１４の上面と、対応するスライド床プレート１１の下面とにヒンジを設ければ、スライド床プレート１１を鉛直面に対して回転可能な状態で支持する構成とすることができる。これにより、スライド床プレートエス固定部１３に接触したスライド床プレート１１は、スライド床プレート支持部１５の上面とスライド床プレート１１の下面と共に形成される滑動面よりも鉛直上方に移動するために必要な力を小さくすることができることから、スライド床プレート１１に要求される強度を小さくすることができる。
【００２３】
なお、層間変位（相対変位）が生じない平常時における、乗客コンベア１が設置される一対の建築躯体４（建築受梁４ａのトラスフレーム２に対向する側の端部）とトラスフレーム２の終端部との間隙（鉛直方向に対し垂直な水平方向の間隙）Ｌ１は、適宜設定される。例えば、上述の図２に示した建築物床１０と乗客コンベア１の乗降床５との間隙が拡大するような層間変位（相対変位）が生じた場合の変位量Ｌ２、及び図３に示した建築物床１０と乗客コンベア１の乗降床５との間隙が縮小するような層間変位（相対変位）が生じた場合の変位量Ｌ３を予測し、トラス支持アングル３の水平面の長手方向（建築物床１０側へと向かう水平方向）の長さに基づき、間隙Ｌ１を適宜設定すれば良い。
【００２４】
以上のとおり、本実施例によれば、地震等により相互に相対変位（層間変位）が生じた場合において乗客コンベアの破損を防止しつつ、相対変位（層間変位）が生じない状態では、スライド床プレートと乗客コンベアの乗降床、或は、スライド床プレートと建築物床との間に段差を有さず平坦化可能とし得る簡易な構造を得ることができる。
【実施例２】
【００２５】
図５は、本発明の他の実施例に係る実施例２の乗客コンベアのトラス支持アングル部の側面図である。実施例１では、建築躯体４の建築物床１０から乗降床仕切り目地６との間に、スライド床プレート１１、緩衝体１２、及びスライド床プレートエス固定部１３を配する分割構成とした。これに対し、本実施例では、乗降床５の建築躯体４側の端部に摺動接触用乗降床仕切り目地１６を設け、この摺動接触用乗降床仕切り目地１６と建築躯体４の建築物床１０との間にスライド床プレート１１を配する構成とした点が異なる。実施例１と同様の構成要素に同一の符号を付し、以下では実施例１と重複する説明を省略する。
【００２６】
図５に示すように、本実施例の乗客コンベア１は、縦断面が略逆Ｌ字状のＬ字鋼にて構成されるトラス支持アングル３、すなわち、水平方向に建築物床１０側へと向かい延在する水平面と鉛直方向下方へと立設する立設部からなるトラス支持アングル３を備え、トラス支持アングル３の水平面の下面が高さ調整部７を介して建築躯体４に設けられた建築受梁４ａに設置されている。トラス支持アングル３の立設部が、トラスフレーム２の終端部に取り付けられており、トラスフレーム２の鉛直方向上方に乗客コンベア１の乗降床５が取り付けられている。乗降床５の建築躯体４側の端部には、摺動接触用乗降床仕切り目地１６が設けられている。摺動接触用乗降床仕切り目地１６は、上述の実施例１における乗降床仕切り目地６と異なり、長手方向、すなわち乗降床５の建築躯体４側の端部から建築物床１０側へと向かう水平方向の寸法を大きくしている。
【００２７】
また、摺動接触用乗降床仕切り目地１６の鉛直方向上部（スライド床プレート１１の厚さ分に相当する領域）には、傾斜面が形成されている。この傾斜面は、摺動接触用乗降床仕切り目地１６の上面から鉛直方向下方に向かうに従い、建築躯体４の建築物床１０側へ近づくよう傾斜する。一方、スライド床プレート１１の乗降床５側の端部は、スライド床プレート１１の下面から上面へと向かうに従い乗客コンベア１の乗降床５側へと近づくよう傾斜する傾斜面を有する。図５に示すように、これら、摺動接触用乗降床仕切り目地１６の鉛直方向上部の傾斜面とスライド床プレート１１の端部の傾斜面は、層間変位（相対変位）が生じない平常時において相互に当接し、建築躯体４の建築物床１０の上面、スライド床プレート１１の上面、摺動接触用乗降床仕切り目地１６、及び乗客コンベア１の乗降床５の上面が連なり、平坦面を形成している。本実施例におけるスライド床は、スライド床プレート１１及びスライド床プレート支持部１５から構成される。その他の構成は、上述の実施例１と同様であるため、ここでは説明を省略する。
【００２８】
図６は、本実施例の乗客コンベア１であって、建築物床１０と乗客コンベア１の乗降床５との間隙が縮小するよう層間変位（相対変位）が生じた場合におけるトラス支持アングル部の側面図である。図６では、乗客コンベア１が設置される一対の建築躯体４（建築受梁４ａのトラスフレーム２に対向する側の端部）とトラスフレーム２の終端部との間隙が、乗客コンベア１の据え付け時点と比較し縮小した状態を示している。図６に示すように、スライド床プレート１１は、建築躯体４と一体となって動くため、スライド床プレート１１と乗客コンベア１の乗降床５との間隙が縮小する。スライド床プレート１１は、スライド床プレート支持部１５の上面とスライド床プレート１１の下面と共に形成される滑動面に沿って摺動すると共に、スライド床プレート１１の端部の傾斜面は、摺動接触用乗降床仕切り目地１６の鉛直方向上部の傾斜面に当接しつつ摺動する。そして、スライド床プレート１１は、滑動面よりも鉛直方向に上昇し、摺動接触用乗降床仕切り目地１６の上面に乗り上げ、乗降床５側へと進む。
【００２９】
図６では、建築物床１０と乗客コンベア１の乗降床５との間隙が縮小するよう層間変位（相対変位）が生じた場合を示した。仮に、建築物床１０と乗客コンベア１の乗降床５との間隙が拡大するよう層間変位（相対変位）が生じた場合においては、スライド床プレート１１は、建築躯体４と一体となって動くため、スライド床プレート１１の端部の傾斜面は、摺動接触用乗降床仕切り目地１６の鉛直方向上部の傾斜面から離間する。但し、この場合において、スライド床プレート支持部１５の上面が、乗客コンベア１の乗客の歩行面となるため、乗客がスライド床プレート支持部１５よりも下に落ちることはない。
【００３０】
本実施例によれば、地震等により相互に相対変位（層間変位）が生じた場合において乗客コンベアの破損を防止しつつ、相対変位（層間変位）が生じない状態では、スライド床プレートと乗客コンベアの乗降床、或は、スライド床プレートと建築物床との間に段差を有さず平坦化可能な構造を得ることができる。  
また、本実施例によれば、スライド床プレートの端部の傾斜面が、摺動接触用乗降床仕切り目地の鉛直方向上部の傾斜面と当接しつつ摺動するため、乗降床への層間変位量（相対変位量）に対応する押圧力の影響を低減させることが可能となる。
【実施例３】
【００３１】
図７は、本発明の他の実施例に係る実施例３の乗客コンベアのトラス支持アングル部の側面図及びＡ−Ａ断面矢視図である。実施例１では、建築躯体４の建築物床１０から乗降床仕切り目地６との間に、スライド床プレート１１、緩衝体１２、及びスライド床プレートエス固定部１３を配する分割構成とした。これに対し、本実施例では、乗降床５の建築躯体４側の端部に摺動接触用乗降床仕切り目地１６を設け、この摺動接触用乗降床仕切り目地１６と建築躯体４の建築物床１０との間にスライド床プレート１１を配すると共に、スライド床プレート支持部１５に代えてスライド床プレート勘合支持体を配する構成とした点が実施例１と異なる。実施例１と同様の構成要素に同一符号を付し、以下では実施例１と重複する説明を省略する。
【００３２】
図７の側面図に示すように、本実施例の乗客コンベア１のトラス支持アングル３が据え付けられる建築躯体４に形成された切り欠き部が、上述の実施例１及び実施例２と比較し浅い。換言すれば、建築躯体４に形成された切り欠き部のうち、水平方向に延在する建築受梁４ａに垂直な面（上辺が建築物床１０となる垂直な面）の高さが低い。このように、建築躯体４に形成された切り欠き部が浅い構造では、寸法の制約条件が厳しい場合、強度条件を満足させることが困難となることが予想される。
【００３３】
図７の側面図に示すように、本実施例の乗客コンベア１は、縦断面が略逆Ｌ字状のＬ字鋼にて構成されるトラス支持アングル３、すなわち、水平方向に建築物床１０側へと向かい延在する水平面と鉛直方向下方へと立設する立設部からなるトラス支持アングル３を備え、トラス支持アングル３の水平面の下面が高さ調整部７を介して建築躯体４に設けられた建築受梁４ａに設置されている。ここで、高さ調整部７の鉛直方向の高さ寸法は、上述の実施例１及び実施例２の場合と比較し明らかに低い。トラス支持アングル３の立設部は、トラス支持アングル３の水平面の上面がトラスフレーム２の上面よりも上方に位置付けられるよう、トラスフレーム２の終端部及び摺動接触用乗降床仕切り目地１６建築物床１０側の面に取り付けられている。トラス支持アングル３の立設部は、例えば溶接等により、トラスフレーム２の終端部及び摺動接触用乗降床仕切り目地１６建築物床１０側の面に固定される。
【００３４】
また、トラスフレーム２の鉛直方向上方に乗客コンベア１の乗降床５が取り付けられている。乗降床５の建築躯体４側の端部には、上述の摺動接触用乗降床仕切り目地１６が設けられている。摺動接触用乗降床仕切り目地１６は、上述の実施例１における乗降床仕切り目地６と異なり、長手方向、すなわち乗降床５の建築躯体４側の端部から建築物床１０側へと向かう水平方向の寸法を大きくしている。本実施例の乗客コンベア１は、トラス支持アングル３の水平面の上面に下面が固定されるスライド床プレート勘合支持体１７を備える。スライド床プレート勘合支持体１７は、中空状の鋼製の四角柱にて形成され、例えば、ステンレス鋼製である。図７の右図は、図７の側面図におけるＡ−Ａ断面矢視図である。Ａ−Ａ断面矢視図に示すように、スライド床プレート勘合支持体１７は、スライド床プレート１１の下面とトラス支持アングル３の水平面の上面との間であって、幅方向に相互に所定の間隔にて離間し２本配されている。よって、スライド床プレート勘合支持体１７の幅方向の寸法は、乗降床５の幅方向の寸法よりも小さい。これらスライド床プレート勘合支持体１７の上面が、スライド床プレート１１の下面と共に滑動面を形成している。従って、本実施例におけるスライド床は、スライド床プレート１１及びスライド床プレート勘合支持体１７から構成される。なお、図７に示す例では、スライド床プレート勘合支持体１７を２本配する例を示すが、スライド床プレート勘合支持体１７の本数は２本に限られるものではない。なお、乗客コンベア１の幅方向において、スライド床プレート勘合支持体１７は、図示しない乗降床５の端部とスライド床プレート勘合支持体１７と間に間隙を有する。この間隙の寸法は、乗客コンベア１を利用する乗客の足が挟まれない程度に小さくする必要がある。図７のＡ―Ａ断面矢視図に示すように、スライド床プレート勘合支持体１７を幅方向に相互に所定の間隔にて離間し複数本配する場合は、幅方向に隣接して配される一対のスライド床プレート勘合支持体１７間の隙間の寸法は、乗客コンベアを利用する乗客の足が挟まれない程度に小さい寸法とする必要がある。
【００３５】
また、図７の側面図に示すように、摺動接触用乗降床仕切り目地１６の鉛直方向上部には傾斜面が形成されている。この傾斜面は、摺動接触用乗降床仕切り目地１６の上面から鉛直方向下方に向かうに従い、建築躯体４の建築物床１０側へ近づくよう傾斜する。一方、スライド床プレート１１の乗降床５側の端部は、スライド床プレート１１の下面から上面へと向かうに従い乗客コンベア１の乗降床５側へと近づくよう傾斜する傾斜面を有する。図７に示すように、これら、摺動接触用乗降床仕切り目地１６の鉛直方向上部の傾斜面とスライド床プレート１１の端部の傾斜面は、層間変位（相対変位）が生じない平常時において相互に当接し、建築躯体４の建築物床１０の上面、スライド床プレート１１の上面、摺動接触用乗降床仕切り目地１６、及び乗客コンベア１の乗降床５の上面が連なり、平坦面を形成している。
【００３６】
図７の側面図に示すように、スライド床プレート１１の厚さは、上述の実施例１及び実施例２と比較し小さい。スライド床プレート１１及びスライド床プレート勘合支持体１７から構成されるスライド床の鉛直方向の高さをＨ１とし、乗客コンベア１の乗降床５の鉛直方向の高さをＨ２としたとき、Ｈ１≦Ｈ２の関係にある。なお、乗客コンベア１の乗降床５の鉛直方向の高さ（Ｈ２）は、トラスフレーム２の上面に溶接等により固定される乗降床５の下面から、乗客コンベア１を利用する乗客の歩行面となる乗降床５の上面までの高さである。
【００３７】
図８は、本実施例の乗客コンベア１であって、建築物床１０と乗客コンベア１の乗降床５との間隙が縮小するよう層間変位（相対変位）が生じた場合におけるトラス支持アングル部の側面図である。図８では、乗客コンベア１が設置される一対の建築躯体４（建築受梁４ａのトラスフレーム２に対向する側の端部）とトラスフレーム２の終端部との間隙が、乗客コンベア１の据え付け時点と比較し縮小した状態を示している、図８に示すように、スライド床プレート１１は、建築躯体４と一体となって動くため、スライド床プレート１１と乗降床５との間隙が縮小する。スライド床プレート１１は、スライド床プレート勘合支持体１７の上面とスライド床プレート１１の下面と共に形成される滑動面を摺動すると共に、スライド床プレート１１の端部の傾斜面は、摺動接触用乗降床仕切り目地１６の鉛直方向上部の傾斜面に当接しつつ摺動する。そして、スライド床プレート１１は、滑動面よりも鉛直方向に上昇し、摺動接触用乗降床仕切り目地１６の上面に乗り上げ、乗降床５側へと進む。
【００３８】
本実施例によれば、実施例２の効果に加え、スライド床プレート１１の下面と共に滑動面を形成するスライド床プレート勘合支持体１７の幅方向の寸法を小さくできることから、全体として更に軽量化を図ることが可能となる。  
また、本実施例によれば、建築躯体４に形成された切り欠き部が浅い構造であって、寸法の制約条件が厳しい場合においても、乗客コンベア１の据え付け作業を良好に実行することが可能となる。
【実施例４】
【００３９】
図９は、本発明の他の実施例に係る実施例４の乗客コンベアのトラス支持アングル部の側面図である。実施例１では、建築躯体４の建築物床１０から乗降床仕切り目地６との間に、スライド床プレート１１、緩衝体１２、及びスライド床プレートエス固定部１３を配する分割構成とした。これに対し、本実施例では、乗降床５の建築躯体４側の端部に摺動接触用乗降床仕切り目地１６を設け、この摺動接触用乗降床仕切り目地１６と建築躯体４の建築物床１０との間にスライド床プレート１１を配すると共に、スライド床プレート支持部１５に代えて、第１スライド床プレート勘合支持体１７ａ及び第２スライド床プレート勘合支持体１７ｂを設け、更に、第１スライド床プレート勘合支持体１７ａとトラス支持アングル３の水平面との間に支持アングル延長部品（受梁延長部品）８を配する構成とした点が実施例１と異なる。実施例１と同様の構成要素に同一符号を付し、以下では実施例１と重複する説明を省略する。
【００４０】
図９に示すように、本実施例の乗客コンベア１は、縦断面が略逆Ｌ字状のＬ字鋼にて構成されるトラス支持アングル３、すなわち、水平方向に建築物床１０側へと向かい延在する水平面と鉛直方向下方へと立設する立設部からなるトラス支持アングル３を備え、トラス支持アングル３の水平面の下面が高さ調整部７を介して建築躯体４に設けられた建築受梁４ａに設置されている。ここで、高さ調整部７の鉛直方向の高さ寸法は、上述の実施例３と同様に低い。トラス支持アングル３の立設部は、トラス支持アングル３の水平面の上面がトラスフレーム２の上面とほぼ同一の高さに位置するよう、トラスフレーム２の終端部に取り付けられている。トラス支持アングル３の立設部は、例えば溶接等により、トラスフレーム２の終端部に固定される。また、トラス支持アングル３の水平面の上面には支持アングル延長部品（受梁延長部品）８が配され、支持アングル延長部品（受梁延長部品）８は、例えばステンレス鋼製であって建築躯体４の建築物床１０側の端部が、トラス支持アングル３の水平面の建築物床１０側の端部及び高さ調整部７の建築物床１０の端部よりも、建築物床１０側に延在する。
【００４１】
また、図９に示すように、摺動接触用乗降床仕切り目地１６の鉛直方向上部（スライド床プレート１１の厚さ分に相当する領域）には、傾斜面が形成されている。この傾斜面は、摺動接触用乗降床仕切り目地１６の上面から鉛直方向下方に向かうに従い、建築躯体４の建築物床１０側へ近づくよう傾斜する。一方、スライド床プレート１１の乗降床５側の端部は、スライド床プレート１１の下面から上面へと向かうに従い乗客コンベア１の乗降床５側へと近づくよう傾斜する傾斜面を有する。図９に示すように、これら、摺動接触用乗降床仕切り目地１６の鉛直方向上部の傾斜面とスライド床プレート１１の端部の傾斜面は、層間変位（相対変位）が生じない平常時において相互に当接し、建築躯体４の建築物床１０の上面、スライド床プレート１１の上面、摺動接触用乗降床仕切り目地１６、及び乗客コンベア１の乗降床５の上面が連なり、平坦面を形成している。本実施例におけるスライド床は、スライド床プレート１１、詳細後述する第１スライド床プレート勘合支持体１７ａ及第２スライド床プレート勘合支持体１７ｂから構成される。
【００４２】
図１０は、本実施例の乗客コンベア１あって、トラス支持アングル部の上面図である。なお、図１０では説明の便宜上、スライド床プレート１１を省略している。図１０に示すように、トラス支持アングル３の水平面の上面に、幅方向に所定の間隔にて離間し２つの支持アングル延長部品（受梁延長部品）８が配され、支持アングル延長部品（受梁延長部品）８の下面とトラス支持アングル３の水平面の上面とは、例えば溶接等により固定されている。また、高さ調整部７は、トラス支持アングル３の水平面の下面と建築受梁４ａとの間に配され、幅方向に所定の間隔にて離間し２箇所に設置されている。なお、図１０に示す例では、２つの支持アングル延長部品（受梁延長部品）８の幅方向外側の側面が、２つの高さ調整部７の幅方向外側の側面よりも、それぞれ内側に位置する。
【００４３】
図１１は、図１０に示すトラス支持アングル部のＡ−Ａ断面矢視図である。図１１に示すように、トラス支持アングル３の水平面の上面に、溶接等により固定される支持アングル延長部品（受梁延長部品）８の上面であって、幅方向内側の端部付近に第１スライド床プレート勘合支持体１７ａの下面が溶接等により固定されている。一方、第２スライド床プレート勘合支持体１７ｂは、支持アングル延長部品（受梁延長部品）８の幅方向の外側の側面に当接するよう配されている。なお、図９に示すように、第２スライド床プレート勘合支持体１７ｂの長手方向の一端が、建築躯体４に形成された切り欠き部のうち、水平方向に延在する建築受梁４ａに垂直な面（上辺が建築物床１０となる垂直な面）に固定されている。上述のように、支持アングル延長部品（受梁延長部品）８の幅方向の外側の側面に、第２スライド床プレート勘合支持体１７ｂが当接する構成により、トラス支持アングル３の幅方向の変位を規制することが可能となる。換言すれば、乗客コンベア１の幅方向の変位を規制することが可能となる。
【００４４】
図９及び図１１に示すように、第２スライド床プレート勘合支持体１７ｂの下面は、トラス支持アングル３の水平面の上面と僅かな間隔を以て離間するが、必ずしもこれに限られるものではない。例えば、第２スライド床プレート勘合支持体１７ｂの下面をトラス支持アングル３の水平面の上面に当接するよう配する構成としても良い。
【００４５】
図１２は、図１１に示すトラス支持アングル部の変形例の上面図である。一端が建築躯体４に形成された切り欠き部のうち、水平方向に延在する建築受梁４ａに垂直な面（上辺が建築物床１０となる垂直な面）に固定される第２スライド床プレート勘合支持体１７ｂは、図９〜図１１に示した構成と同様である。図１２に示す変形例では、第１スライド床プレート勘合支持体１７ａを複数配する構成としている。図１２に示す例では、２６本の第１スライド床プレート勘合支持体１７ａの一端を、摺動接触用乗降床仕切り目地１６に溶接等により固定し櫛歯状に配している。図１２において、幅方向両端部に配される２本の第１スライド床プレート勘合支持体１７ａ（ハッチングで示す）が、トラス支持アングル３の水平面の幅方向両側の側面と当接することにより、更に、トラス支持アングル３の幅方向の変位規制の効果を向上できる。換言すれば、乗客コンベア１の幅方向の変位規制効果を更に向上することが可能となる。
【００４６】
本実施例によれば、地震等により相互に相対変位（層間変位）が生じた場合において乗客コンベアの破損を防止しつつ、相対変位（層間変位）が生じない状態では、スライド床プレートと乗客コンベアの乗降床、或は、スライド床プレートと建築物床との間に段差を有さず平坦化可能とし得る簡易な構造を得ることが可能となる。  
また、本実施例によれば、例えば既設の乗客コンベアに対し耐震改修工事を行う際、既設の乗客コンベアのトラス支持アングルの水平面の上面に、支持アングル延長部品（受梁延長部品）８を設け、第１スライド床プレート勘合支持体１７ａ及び第２スライド床プレート勘合支持体１７ｂを設けることで、容易に耐震改修工事を行うことが可能となる。
【実施例５】
【００４７】
図１３は、本発明の他の実施例に係る実施例５の乗客コンベアのトラス支持アングル部の上面図であり、図１４は、図１３に示すトラス支持アングル部のＡ−Ａ断面矢視図である。実施例１では、建築躯体４の建築物床１０から乗降床仕切り目地６との間に、スライド床プレート１１、緩衝体１２、及びスライド床プレートエス固定部１３を配する分割構成とした。これに対し、本実施例では、乗降床５の建築躯体４側の端部に摺動接触用乗降床仕切り目地１６を設け、この摺動接触用乗降床仕切り目地１６と建築躯体４の建築物床１０との間にスライド床プレート１１を配すると共に、スライド床プレート支持部１５に代えて、第１スライド床プレート勘合支持体１７ａ、第２スライド床プレート勘合支持体１７ｂ、及び第３スライド床プレート勘合支持体１７ｃを設け、更に、第１スライド床プレート勘合支持体１７ａとトラス支持アングル３の水平面との間に支持アングル延長部品（受梁延長部品）８を配する構成とした点が実施例１と異なる。実施例１と同様の構成要素に同一符号を付し、以下では実施例１と重複する説明を省略する。また、本実施例は、上述の実施例４と比較し、スライド床プレート１１の下面と、第１スライド床プレート勘合支持体１７ａ、第２スライド床プレート勘合支持体１７ｂ、及び第３スライド床プレート勘合支持体１７ｃの上面と共に形成される滑動面の面積を拡大する構成とした点が異なる。
【００４８】
図１３に示すように、本実施例の乗客コンベア１は、縦断面が略逆Ｌ字状のＬ字鋼にて構成されるトラス支持アングル３、すなわち、水平方向に建築物床１０側へと向かい延在する水平面と鉛直方向下方へと立設する立設部からなるトラス支持アングル３を備え、図１４に示すように、トラス支持アングル３の水平面の下面が高さ調整部７を介して建築躯体４に設けられた建築受梁４ａに設置されている。ここで、高さ調整部７の鉛直方向の高さ寸法は、上述の実施例４と同様に低い。また、トラス支持アングル３の水平面の上面には支持アングル延長部品（受梁延長部品）８が配され、支持アングル延長部品（受梁延長部品）８は、例えばステンレス鋼製であって建築躯体４の建築物床１０側の端部が、トラス支持アングル３の水平面の建築物床１０側の端部及び高さ調整部７の建築物床１０の端部よりも、建築物床１０側に延在する。
【００４９】
また、図示しないが実施例４と同様に、摺動接触用乗降床仕切り目地１６の鉛直方向上部（スライド床プレート１１の厚さ分に相当する領域）には、傾斜面が形成されている。この傾斜面は、摺動接触用乗降床仕切り目地１６の上面から鉛直方向下方に向かうに従い、建築躯体４の建築物床１０側へ近づくよう傾斜する。一方、スライド床プレート１１の乗降床５側の端部は、スライド床プレート１１の下面から上面へと向かうに従い乗客コンベア１の乗降床５側へと近づくよう傾斜する傾斜面を有する。
【００５０】
図１４に示すように、トラス支持アングル３の水平面の上面に、幅方向に所定の間隔にて離間し２つの支持アングル延長部品（受梁延長部品）８が配され、支持アングル延長部品（受梁延長部品）８の下面とトラス支持アングル３の水平面の上面とは、例えば溶接等により固定されている。また、高さ調整部７は、トラス支持アングル３の水平面の下面と建築受梁４ａとの間に配され、幅方向に所定の間隔にて離間し２箇所に設置されている。なお、図１４に示す例では、２つの支持アングル延長部品（受梁延長部品）８の幅方向外側の側面が、２つの高さ調整部７の幅方向外側の側面よりも、それぞれ内側に位置する。
【００５１】
図１３及び図１４に示すように、第１スライド床プレート勘合支持体１７ａ及び第３スライド床プレート勘合支持体１７ｃは、Ｃ型の断面形状を有する。２つの支持アングル延長部品（受梁延長部品）８に跨るよう、２つの支持アングル延長部品（受梁延長部品）の上面であって、幅方向内側の端部付近に第１スライド床プレート勘合支持体１７ａの下面が溶接等により固定されている。第２スライド床プレート勘合支持体１７ｂは、支持アングル延長部品（受梁延長部品）８の幅方向の外側の側面に当接するよう配されている。図１３に示すように、第２スライド床プレート勘合支持体１７ｂの長手方向の一端が、建築躯体４に形成された切り欠き部のうち、水平方向に延在する建築受梁４ａに垂直な面（上辺が建築物床１０となる垂直な面）に固定されている。また、２つの第３スライド床プレート勘合支持体１７ｃは、それぞれ２本の第２スライド床プレート勘合支持体１７ｂの幅方向外側に配され、摺動接触用乗降床仕切り目地１６及び／又は切り欠き部のうち建築受梁４ａに対し垂直な部分にて、固定される。なお、図１３及び図１４では、第３スライド床プレート勘合支持体１７ｃが、第２スライド床プレート勘合支持体１７ｂに対し僅かな間隙を有するよう離間し配する場合を示しているが、第３スライド床プレート勘合支持体１７ｃの長手方向の側面が、第２スライド床プレート勘合支持体１７ｂの長手方向の側面に当接するよう配する構成としても良い。
【００５２】
スライド床プレート１１の下面は、第１スライド床プレート勘合支持体１７ａ及び第２スライド床プレート勘合支持体１７ｂ並びに第３スライド床プレート勘合支持体１７ｃの上面と共に滑動面を形成する。図１３に示すように、滑動面を形成する、第１スライド床プレート勘合支持体１７ａ、第２スライド床プレート勘合支持体１７ｂ、及び第３スライド床プレート勘合支持体１７ｃの上面の面積は、第１スライド床プレート勘合支持体１７ａが最も大きく、第３スライド床プレート勘合支持体１７ｃは第２スライド床プレート勘合支持体１７ｂよりも大きい。図１４に示すように、第１スライド床プレート勘合支持体１７ａの幅方向両端部の側面と、２本の第２スライド床プレート勘合支持体１７ｂの歯が方向内側の側面との間に形成される間隙が低減される。
【００５３】
本実施例によれば、地震等により相互に相対変位（層間変位）が生じた場合において乗客コンベアの破損を防止しつつ、相対変位（層間変位）が生じない状態では、スライド床プレートと乗客コンベアの乗降床、或は、スライド床プレートと建築物床との間に段差を有さず平坦化可能とし得る簡易な構造を得ることが可能となる。  
また、本実施例によれば、第１スライド床プレート勘合支持体１７ａ、第２スライド床プレート勘合支持体１７ｂ、及び第３スライド床プレート勘合支持体１７ｃにより形成される幅方向の間隙の面積を減少できると共に、トラス支持アングル部の強度を確保することが可能となる。  
また、第２スライド床プレート勘合支持体１７ｂの幅方向の側面が、支持アングル延長部品（受梁延長部品）８の幅方向の側面と当接することにより、トラス支持アングル３の幅方向の変位を規制することが可能となる。換言すれば、乗客コンベア１の幅方向の変位を規制することが可能となる。
【００５４】
なお、本発明は上記した実施例に限定されるものではなく、様々な変形例が含まれる。例えば、上記した実施例は本発明を分かりやすく説明するために詳細に説明したものであり、必ずしも説明した全ての構成を備えるものに限定されるものではない。
【符号の説明】
【００５５】
１・・・乗客コンベア
２・・・トラスフレーム
３・・・トラス支持アングル
４・・・建築躯体
４ａ・・建築受梁
５・・・乗客コンベア乗降床
６・・・乗降床仕切り目地
７・・・高さ調整部
８・・・支持アングル延長部品（受梁延長部品）
９・・・踏段
１０・・・建築物床
１１・・・スライド床プレート
１２・・・緩衝体
１３・・・スライド床プレートエス固定部
１４・・・スライド床プレート固定部
１５・・・スライド床プレート支持部
１６・・・摺動接触用乗降床仕切り目地
１７・・・スライド床プレート勘合支持体
１７ａ・・・第１スライド床プレート勘合支持体
１７ｂ・・・第２スライド床プレート勘合支持体
１７ｃ・・・第３スライド床プレート勘合支持体
【図１】
0006494556.tif 000002
【図２】
0006494556.tif 000003
【図３】
0006494556.tif 000004
【図４】
0006494556.tif 000005
【図５】
0006494556.tif 000006
【図６】
0006494556.tif 000007
【図７】
0006494556.tif 000008
【図８】
0006494556.tif 000009
【図９】
0006494556.tif 000010
【図１０】
0006494556.tif 000011
【図１１】
0006494556.tif 000012
【図１２】
0006494556.tif 000013
【図１３】
0006494556.tif 000014
【図１４】
0006494556.tif 000015